(57)【要約】【課題】便器へ乗り移る際の助けになるだけでなく、便器に着座した後、楽な姿勢で用便を行うことができると共に、介護作業も容易に行うことができる便器用手摺を提供する。【解決手段】便所の床に固定設置された便器Ａの床固定部ａの両側部に沿うように配設される、扁平な金属製の角パイプからなる左右一対のベース部材１０と、各ベース部材１０にそれぞれ立設された左右一対の起立部材２０と、左右一対の起立部材２０を相互に連結する連結部材３０と、連結部材３０に取り付けられた左右一対の固定部材４０と、先端部を後方側に跳ね上げ可能に、各起立部材２０の上端部にそれぞれ支持された肘掛け５１を有する左右一対の手摺部材５０とを備えており、左右一対の手摺部材５０は、肘掛け位置において、一対の肘掛け５１が平面略ハの字状となるように、それぞれの肘掛け５１の前端部が便器Ａの前端側で、その幅方向に接近している。【選択図】        図１
2017042503.tif 000002
【特許請求の範囲】
【請求項１】
洋風便器の左右両側に起立する一対の起立部材を有する本体部と、
前記一対の起立部材の上端部にそれぞれ取り付けられた、肘掛けを有する一対の手摺部材と、
前記本体部に取り付けられ、前記本体部を前記洋風便器に固定する固定部材と
を備え、
前記一対の手摺部材は、肘掛け位置において、一対の前記肘掛けが平面略ハの字状となるように、それぞれの肘掛けの前端部が洋風便器の前端側で、その幅方向に接近していることを特徴とする便器用手摺。
【請求項２】
前記肘掛けは、前記肘掛け位置から、その前端部を跳ね上げ可能に構成されている請求項１に記載の便器用手摺。
【請求項３】
前記手摺部材は、前記肘掛けの下面から下方側に突出するグリップを有しており、
前記肘掛けを跳ね上げ位置まで跳ね上げたときに、前記グリップが略水平状態になるように構成されている請求項２に記載の便器用手摺。
【請求項４】
前記肘掛けは、前記肘掛け位置から、その長手方向に沿って後方側にスライド可能に構成されている請求項１に記載の便器用手摺。
【請求項５】
前記肘掛けは、前記肘掛け位置から、その前端部を洋風便器の幅方向の外側に旋回可能に構成されている請求項１または４に記載の便器用手摺。
【請求項６】
前記肘掛けは、前記洋風便器の前後方向にスライド可能に構成されている請求項１、２、３，４または５に記載の便器用手摺。
【請求項７】
洋風便器の前後方向における前記肘掛けの後方側で、洋風便器に着座した用便者の腰部付近で前後方向に延びる、用便者が把持可能なガードフレームを備えている請求項１、２、３，４、５または６に記載の便器用手摺。
【発明の詳細な説明】
【技術分野】
【０００１】
この発明は、既設の洋風便器（以下、便器という。）に取り付けることで、足腰の弱い高齢者等の用便動作を助けることのできる便器用手摺に関する。
【背景技術】
【０００２】
既設の便器に取り付ける便器用手摺としては、例えば、図２６に示すようなものがある。この便器用手摺７０は、同図に示すように、床に設置された便器Ａの左右両側に配設される一対のベース部材７１、７１と、それぞれのベース部材７１、７１の後方側に立設された起立部材７２、７２と、この起立部材７２、７２の上端部にそれぞれ支持された手摺部材７３、７３と、一対の起立部材７２、７２を、相互に連結する連結部材７４と、便器Ａの両側部を挟み込む一対の挟持部材７５、７５とを備えている。
【０００３】
従って、便器Ａの前方に位置している車椅子から高齢者等が便器Ａに乗り移る際は、左右一対の手摺部材７３、７３を掴んで身体を支えながら、便器Ａに着座することができるので、前方の車椅子から便器Ａへの乗り移りをスムーズに行うことができる。
【先行技術文献】
【特許文献】
【０００４】
【特許文献１】特開平１０−２０１６７２号公報
【発明の概要】
【発明が解決しようとする課題】
【０００５】
ところで、上述した便器用手摺７０を利用して便器Ａに乗り移った高齢者等は、便器Ａに着座した状態で上半身の姿勢を保持する必要があるが、そのために便器用手摺７０を利用することはできない。このため、この種の便器用手摺には、足腰の弱い高齢者等にとって、便器へ乗り移る際の助けになるだけでなく、便器に着座した後、楽な用便姿勢を取るための助けになることも望まれている。
【０００６】
また、用便後に自分で尻を拭くことができない高齢者等については、高齢者等に代わって介護者が高齢者等の尻を拭くことになるが、足腰の弱い高齢者等は、通常腕の力も弱いので、上述した便器用手摺７０を設置していたとしても、その手摺部材７３、７３を支えにして便座から自分の尻を浮かせることが難しく、介護者は高齢者等の尻を持ち上げながら尻を拭かなければならないので、介護者の負担が大きいという問題がある。
【０００７】
そこで、この発明の課題は、便器へ乗り移る際の助けになるだけでなく、便器に着座した後、楽な姿勢で用便を行うことができると共に、介護作業も容易に行うことができる便器用手摺を提供することにある。
【課題を解決するための手段】
【０００８】
上記の課題を解決するため、請求項１に係る発明は、洋風便器の左右両側に起立する一対の起立部材を有する本体部と、前記一対の起立部材の上端部にそれぞれ取り付けられた、肘掛けを有する一対の手摺部材と、前記本体部に取り付けられ、前記本体部を前記洋風便器に固定する固定部材とを備え、前記一対の手摺部材は、肘掛け位置において、一対の前記肘掛けが平面略ハの字状となるように、それぞれの肘掛けの前端部が洋風便器の前端側で、その幅方向に接近していることを特徴とする便器用手摺を提供するものである。
【０００９】
また、請求項２に係る発明は、請求項１に係る発明の便器用手摺において、前記肘掛けは、前記肘掛け位置から、その前端部を跳ね上げ可能に構成されていることを特徴としている。
【００１０】
また、請求項３に係る発明は、請求項２に係る発明の便器用手摺において、前記手摺部材は、前記肘掛けの下面から下方側に突出するグリップを有しており、前記肘掛けを跳ね上げ位置まで跳ね上げたときに、前記グリップが略水平状態になるように構成されていることを特徴としている。
【００１１】
また、請求項４に係る発明は、請求項１に係る発明の便器用手摺において、前記肘掛けは、前記肘掛け位置から、その長手方向に沿って後方側にスライド可能に構成されていることを特徴としている。
【００１２】
また、請求項５に係る発明は、請求項１または４に係る発明の便器用手摺において、前記肘掛けは、前記肘掛け位置から、その前端部を洋風便器の幅方向の外側に旋回可能に構成されていることを特徴としている。
【００１３】
また、請求項６に係る発明は、請求項１、２、３、４または５に係る発明の便器用手摺において、前記肘掛けは、前記洋風便器の前後方向にスライド可能に構成されていることを特徴としている。
【００１４】
また、請求項７に係る発明は、請求項１、２、３、４、５または６に係る発明の便器用手摺において、前記洋風便器の前後方向における前記肘掛けの後方側で、洋風便器に着座した用便者の腰部付近で前後方向に延びる、用便者が把持可能なガードフレームを備えていることを特徴としている。
【発明の効果】
【００１５】
以上のように、請求項１に係る発明の便器用手摺は、肘掛け位置において、一対の肘掛けが平面略ハの字状となるように、それぞれの肘掛けの前端部が洋風便器の前端側で、その幅方向に接近しているので、高齢者等が洋風便器に着座した状態では、平面略ハの字状の一対の肘掛けが高齢者等の前側を囲うように位置することになり、高齢者等は両肘を身体の前方に位置しているハの字状の肘掛けに載せることで、前屈みの楽な姿勢で用便を行うことができる。
【００１６】
また、用便後に自分で尻を拭くことができない高齢者等であっても、両肘を身体の前方に位置しているハの字状の肘掛けに載せて前屈みになることで、自分の尻を便座から楽に浮かせることができるので、介護者は高齢者等の尻を拭きやすくなり、介護者の負担を軽減させることができる。
【００１７】
また、請求項２に係る発明の便器用手摺は、肘掛けが、肘掛け位置から、その前端部を跳ね上げ可能に構成されているので、肘掛けを肘掛け位置から跳ね上げることで、洋風便器の前方側が開放される。従って、足腰の弱い高齢者等は、跳ね上げた肘掛けを掴んで身体を支えながら、開放された洋風便器の前方側から洋風便器に着座することができ、前方の車椅子から洋風便器への乗り移りをスムーズに行うことができる。
【００１８】
また、請求項３に係る発明の便器用手摺は、手摺部材が、肘掛けの下面から下方側に突出するグリップを有しており、肘掛けを跳ね上げ位置まで跳ね上げたときに、グリップが略水平状態になるように構成されているので、足腰の弱い高齢者等が開放された洋風便器の前方側から洋風便器に着座する際、グリップを掴んで身体を支えることができる。従って、跳ね上げた肘掛けに直接手をかけて身体を支える場合に比べて、安定した状態で身体を支えることができ、前方の車椅子から洋風便器への乗り移りをよりスムーズに行うことができる。
【００１９】
また、請求項４に係る発明の便器用手摺は、肘掛けが、肘掛け位置から、その長手方向に沿って後方側にスライド可能に構成されているので、肘掛けを肘掛け位置から後方側にスライドさせることで、洋風便器の前方側が開放される。従って、足腰の弱い高齢者等は、後方側にスライドさせた肘掛けを掴んで身体を支えながら、開放された洋風便器の前方側から洋風便器に着座することができ、前方の車椅子から洋風便器への乗り移りをスムーズに行うことができる。
【００２０】
また、請求項５に係る発明の便器用手摺は、肘掛けが、肘掛け位置から、その前端部を洋風便器の幅方向の外側に旋回可能に構成されているので、肘掛けを肘掛け位置から外側に旋回させることで、洋風便器の前方側が開放される。従って、足腰の弱い高齢者等は、外側に旋回させた肘掛けを掴んで身体を支えながら、開放された洋風便器の前方側から洋風便器に着座することができ、前方の車椅子から洋風便器への乗り移りをスムーズに行うことができる。
【００２１】
また、前屈みの姿勢で用便する必要のない高齢者等が使用する場合は、平面略ハの字状の一対の肘掛けを、平行になるまで旋回させることによって、一般的な便器用手摺としても使用することができるという効果もある。
【００２２】
特に、請求項２、３、４または５に係る発明の便器用手摺は、跳ね上げ可能な肘掛け、長手方向に沿って後方側にスライド可能な肘掛けまたは前端部を洋風便器の幅方向の外側に旋回可能な肘掛けを有する一対の手摺部材を、肘掛け位置において、平面略ハの字状に配置することで、その手摺部材を、足腰の弱い高齢者等が洋風便器に着座する際に支えとして使用するだけでなく、洋風便器に着座した高齢者等に楽な姿勢で用便させるためにも使用することができるので、足腰の弱い高齢者等が洋風便器に着座する際の支えとして使用する手摺部材と、洋風便器に着座した高齢者等に楽な姿勢で用便させるために使用する手摺部材とをそれぞれ設ける必要がなく、全体構成がシンプルでコンパクトになると共に、使い勝手も良い。
【００２３】
また、請求項６に係る発明の便器用手摺は、肘掛けが、洋風便器の前後方向にスライド可能に構成されているので、用便者の体型に応じて、肘掛けの位置を洋風便器の前後方向に調整することで、楽な用便姿勢で用便することができると共に、肘掛けを若干前方側に位置させることによって、ハの字状の肘掛けに手をついて前屈みの状態で立ち上がることができるので、力が入りやすく、肘掛けが後方にある場合に比べて楽に立ち上がることができる。特に、肘掛けの下面から下方側に突出するグリップを有する跳ね上げタイプの手摺部材の場合、肘掛けを若干前方側にスライドさせることによって、手摺部材を跳ね上げた状態でグリップも前方側に位置することになるので、グリップを握って楽に立ち上がることもできる。
【００２４】
また、請求項７に係る発明の便器用手摺は、洋風便器の前後方向における肘掛けの後方側で、洋風便器に着座した用便者の腰部付近で前後方向に延びる、用便者が把持可能なガードフレームを備えているので、洋風便器に着座した状態で上半身を自力で保持することに不安がある用便者は、そのガードフレームによって身体を支えることができるので、安心して用便を行うことができると共に、洋風便器に着座する際や洋風便器に着座した状態から立ち上がる際に、そのガードフレームを掴んで支えとすることができるので、洋風便器への着座動作や洋風便器からの立ち上がり動作を楽に行うことができる。
【図面の簡単な説明】
【００２５】
【図１】この発明に係る便器用手摺の一実施形態の設置状態を示す斜視図である。
【図２】同上の便器用手摺の設置状態を示す正面図である。
【図３】同上の便器用手摺の設置状態を示す平面図である。
【図４】同上の便器用手摺の設置状態を示す側面図である。
【図５】同上の便器用手摺の固定部材を示す斜視図である。
【図６】同上の固定部材を示す詳細図である。
【図７】（ａ）は同上の便器用手摺の肘掛けを跳ね上げ位置まで跳ね上げた状態を示す部分拡大側面図、（ｂ）は同上の肘掛けを肘掛け位置まで下げた状態を示す部分拡大側面図である。
【図８】図７（ａ）のＸ−Ｘ線に沿った断面図である。
【図９】同上の便器用手摺の起立部材を構成している上部支柱、張出部、起立部を示す平面図である。
【図１０】（ａ）は同上の便器用手摺における被支持部材を示す側面図、（ｂ）は同上の便器用手摺における支持部材を示す側面図である。
【図１１】（ａ）は同上の便器用手摺における肘掛けを肘掛け位置に降ろしたときの案内孔及び長孔と係止軸との関係を説明するための説明図、（ｂ）は同上の便器用手摺における肘掛けを所定の跳ね上げ位置まで跳ね上げたときの案内孔及び長孔と係止軸との関係を説明するための説明図である。
【図１２】同上の肘掛けを所定の跳ね上げ位置まで跳ね上げた状態を示す斜視図である。
【図１３】便器に着座した高齢者等の用便姿勢を示す側面図である。
【図１４】同上の便器用手摺にガイド部材を取り付けた状態を示す斜視図である。
【図１５】他の実施形態である便器用手摺を示す側面図である。
【図１６】他の実施形態である便器用手摺の設置状態を示す斜視図である。
【図１７】同上の便器用手摺の設置状態を示す正面図である。
【図１８】同上の便器用手摺の設置状態を示す平面図である。
【図１９】同上の便器用手摺の設置状態を示す側面図である。
【図２０】（ａ）、（ｂ）は同上の便器用手摺のスライドロック手段を示す斜視図である。
【図２１】（ａ）は同上の便器用手摺の回転ロック手段を構成しているロックピンを示す正面図、（ｂ）は同上の便器用手摺の支持部材を構成している可動部を示す平面図、（ｃ）は同上の支持部材を構成している固定部を示す平面図である。
【図２２】同上の便器用手摺における肘掛けを平行位置にロックした状態を示す平面図である。
【図２３】同上の便器用手摺における左右一対の肘掛けを中間位置まで後退させた状態を示す平面図である。
【図２４】同上の便器用手摺における左右一対の肘掛けを後退位置まで後退させた状態を示す平面図である。
【図２５】同上の便器用手摺における左右一対の手摺部材をハの字状の肘掛け位置位置と平行位置の中間位置に保持した状態を示す平面図である。
【図２６】従来の便器用手摺の設置状態を示す斜視図である。
【発明を実施するための形態】
【００２６】
以下、実施の形態について図面を参照して説明する。図１〜図４に示すように、この便器用手摺１は、便所の床に固定設置された便器Ａの床固定部ａの両側部に沿うように配設される、扁平な金属製の角パイプからなる、後端部が内側に屈曲した左右一対のベース部材１０と、各ベース部材１０にそれぞれ立設された左右一対の起立部材２０と、左右一対の起立部材２０を相互に連結する連結部材３０と、連結部材３０に取り付けられた左右一対の固定部材４０と、先端部を跳ね上げ可能に、各起立部材２０の上端部にそれぞれ支持された左右一対の手摺部材５０とを備えており、左右一対の手摺部材５０は、ロック手段によって、略垂直に立ち上がった所定の跳ね上げ位置でロックされるようになっている。
【００２７】
前記起立部材２０は、上端側が僅かに内側（便器Ａ側）に傾斜した状態でベース部材１０の後部側に固着された金属製の角パイプからなる下部支柱２１と、この下部支柱２１にその上端側から差し込まれて、下部支柱２１内を上下にスライドする金属製の角パイプからなる上部支柱２２と、この上部支柱２２の上端部から前方側に張り出す金属製の角パイプからなる張出部２３と、この張出部２３の前端部から立ち上がる金属製の角パイプからなる起立部２４とから構成されており、この起立部２４の上端部に手摺部材５０を回動可能に支持するための支持部材２５が固定されている。また、上部支柱２２の上端部開口部には、キャップＣが装着されている。
【００２８】
また、下部支柱２１の前面には複数のボルト挿通孔２１ａが上下に形成されており、いずれかのボルト挿通孔２１ａに通したノブボルト２０ａを、上部支柱２２の下部前面に形成されたねじ孔（図示せず）にねじ込んで締め付けることにより、上部支柱２２を所定の高さに段階的に固定することができるようになっている。
【００２９】
前記連結部材３０は、左右一対の起立部材２０、２０を構成している下部支柱２１、２１から内側に張り出すように、下部支柱２１、２１の後面における中間高さ位置にそれぞれ固着された、便器Ａの幅方向に延びる左右一対の直線部３１、３１と、両端部が左右一対の直線部３１、３１における内端側の前面にそれぞれ連設された、便器Ａにおける床固定部ａの前端上部を取り囲むように、中央部を略Ｕ字状に屈曲させた屈曲部３２とから構成されており、直線部３１は金属製の角パイプによって、屈曲部３２は金属製の丸パイプによってそれぞれ形成されている。
【００３０】
前記連結部材３０の各直線部３１には、それぞれの外端側から、各直線部３１内を左右にスライドする金属製の角パイプからなる可動アーム３３が差し込まれており、各直線部３１の内端には、合成樹脂製のキャップがそれぞれ装着されている。
【００３１】
各可動アーム３３、３３は、その先端部が閉塞されており、閉塞された先端部にねじ孔が形成されていると共に、そのねじ孔に、便所の壁面に当接して押圧する押圧部材３５が進退可能にねじ込まれている。
【００３２】
各直線部３１の後面には、左右方向に延びる長孔（図示せず）が形成されており、この長孔に通したノブボルト３４を、可動アーム３３の内端後面に形成されたねじ孔（図示せず）にねじ込んで締め付けることにより、長孔の長さの範囲内で各可動アーム３３を任意の位置に固定することができるようになっている。
【００３３】
前記固定部材４０は、図１〜図６に示すように、連結部材３０の直線部３１、３１に外側に傾斜した状態で立設された固定支持脚４１、４１と、この固定支持脚４１、４１の上端から差し込まれて、上下方向にスライドする可動支持脚４２、４２と、可動支持脚４２、４２の上端部にそれぞれ固着され、内側に向かって斜め上方に立ち上がる一対の固定アーム４３、４３と、それぞれの固定アーム４３にその上端から差し込まれて、上下方向にスライドする可動アーム４４、４４と、各可動アーム４４、４４の先端に取り付けられ、便器Ｂの湾曲した上部外表面ｂに当接して押圧する押圧部４５とから構成されており、前記固定支持脚４１、可動支持脚４２、固定アーム４３及び可動アーム４４は、金属製の角パイプによって形成されている。
【００３４】
また、固定支持脚４１には、便器Ａの幅方向の内側面に上下方向に延びる長孔４１ａが形成されており、この長孔４１ａにワッシャを介して通したねじ４２ａを、可動支持脚４２の下端部に形成されたねじ孔（図示せず）にねじ込んで締め付けることにより、長孔４１ａの長さの範囲内で可動支持脚４２を任意の位置に固定することができるようになっている。
【００３５】
また、固定アーム４３の上面には上下方向に延びる長孔４３ａが形成されており、この長孔４３ａに通したノブボルト４４ａを、可動アーム４４の下端部に形成されたねじ孔（図示せず）にねじ込んで締め付けることにより、長孔４３ａの長さの範囲内で可動アーム４４を任意の位置に固定することができるようになっている。
【００３６】
前記押圧部４５は、同図に示すように、可動アーム４４の上端に取り付けられたアジャスタ４６と、このアジャスタ４６に取り付けられた自在アタッチメント４７とから構成されている。
【００３７】
前記アジャスタ４６は、可動アーム４４の上端に形成されたネジ孔（図示せず）にねじ込まれる全ネジボルト４６ａと、この全ネジボルト４６ａに固定された、全ネジボルト４６ａを回転させるための回転操作部４６ｂとから構成されており、回転操作部４６ｂを回転させることで、全ネジボルト４６ａが回転しながら進退し、自在アタッチメント４７が、固定アーム４２の延びだし方向に進退するようになっている。
【００３８】
前記自在アタッチメント４７は、自在継手を介してアジャスタ４６に取り付けられており、図６に二点鎖線で示すように、便器Ａの上部外表面ｂの湾曲状態に応じて、ある程度の自由度を持ってその接触角度を調整できるようになっている。
【００３９】
前記手摺部材５０は、図１〜図４及び図７、図８に示すように、金属製のフレームに樹脂製のカバーを被せた肘掛け５１と、この肘掛け５１の下面から下方側に突出するように、フレームの長手方向の中央部より僅かに後端側に連設された、肘掛け５１を跳ね上げ位置まで跳ね上げたときに、略水平状態となるグリップ５２とを備えており、肘掛け５１は、起立部材２０の支持部材２５を挟み込むように、フレームの後端部に連設された一対の被支持部材５３を介して、支持部材２５に回動可能に支持されている。
【００４０】
前記起立部材２０を構成している、金属製の角パイプからなる張出部２３は、図９に示すように、その先端縁（上縁及び下縁）が内側面から外側面に向かって後方側に傾いており、その傾いた先端縁に金属製の角パイプからなる起立部２４の一面が固着されている。
【００４１】
前記肘掛け５１を回動可能に支持するための支持部材２５は、図９に示すように、肘掛け５１の回動軸ＲＡが起立部２４における張出部２３との固着面と直交するように、起立部２４の上端部に固定されている。従って、手摺部材５０を構成している肘掛け５１は、張出部２３の傾いた先端縁（上縁及び下縁）に沿うように、前方に向かって便器Ａの幅方向の内側（斜め前方）に延び出しており、図３に示すように、肘掛け５１を跳ね上げない肘掛け位置においては、左右一対の肘掛け５１、５１が平面略ハの字状となるように、それぞれの肘掛け５１の前端部が便器Ａの前端側で、その幅方向に接近した状態となっている。
【００４２】
前記ロック手段は、図７（ａ）、（ｂ）、図８及び図１０（ａ）、（ｂ）に示すように、一対の被支持部材５３に形成された長孔５４と、この長孔５４内を移動可能に長孔５４に挿入される係止軸６１と、支持部材２５に形成された、係止軸６１が移動可能に挿入される案内孔２６と、それぞれの被支持部材５３を挟み込むような状態で係止軸６１の両端部に回動可能に連結された、先端がＶ字状に形成された操作部材６２と、支持部材２５と起立部２４との境界部から前方側に突出する、操作部材６２に掛止可能な掛止片６３とから構成されており、操作部材６２は、肘掛け５１を跳ね上げ位置から肘掛け位置に回動させると、Ｖ字状の先端部が被支持部材５３の外縁に沿って徐々に下方側を向きながら移動し、最終的に掛止片６３を乗り越えて自動的に掛止され、肘掛け５１が肘掛け位置にロックされるようになっている。
【００４３】
前記支持部材２５に形成された案内孔２６は、手摺部材５０の回動に伴って係止軸６１が移動する円弧状の回動用孔部２６ａと、この回動用孔部２６ａの後端部から下方側に延びる直線状の係止用孔部２６ｂとから構成されており、図１１（ａ）、（ｂ）に示すように、一対の被支持部材５３に形成された長孔５４に挿通されている係止軸６１が、案内孔２６における円弧状の回動用孔部２６ａの前端部と後端部との間を移動することで、手摺部材５０が所定の肘掛け位置と跳ね上げ位置との間で回動するようになっている。
【００４４】
前記被支持部材５３に形成された長孔５４は、手摺部材５０が所定の跳ね上げ位置まで回動したときに、同図（ｂ）に示すように、その長手方向が上下方向を向いて、支持部材２５に形成された案内孔２６の係止用孔部２６ｂに一致するようになっており、回動用孔部２６ａの後端部まで移動した係止軸６１が、長孔５４内を落下して案内孔２６の係止用孔部２６ｂに入り込むことで、支持部材２５に対して被支持部材５３が回転不能となり、これによって、手摺部材５０がロックされるようになっている。
【００４５】
前記操作部材６２は、図７（ｂ）に示すように、手摺部材５０の肘掛け５１が略水平の肘掛け位置では、Ｖ字状の先端部が下方側を向くような状態で垂下して掛止片６３に掛止されることで、肘掛け５１が肘掛け位置にロックされているが、操作部材６２のＶ字状の先端部に指をかけて前方側に回動させながら持ち上げることで、掛止片６３の掛止を解除することができる。
【００４６】
このようにして、掛止片６３の掛止を解除した後、手摺部材５０の肘掛け５１を跳ね上げるに従って、操作部材６２が被支持部材５３の外縁に沿って持ち上がり、手摺部材５０が所定の跳ね上げ位置でロックされたときは、図７（ａ）に示すように、被支持部材５３によって略水平状態に支持されるようになっており、その状態では、Ｖ字状の先端部に指をかけることができるようになっている。
【００４７】
従って、手摺部材５０が所定の跳ね上げ位置でロックされた状態で、Ｖ字状の先端部に指をかけて操作部材６２を引き上げると、操作部材６２が連結されている係止軸６１が持ち上がり、案内孔２６の係止用孔部２６ｂから回動用孔部２６ａ側に移動するので、手摺部材５０のロックが解除され、手摺部材５０を初期の肘掛け位置まで回動することができる状態となる。
【００４８】
また、各ベース部材１０の前後端には、それぞれの下面側に、高さ調整を行うためのアジャスタ１１、１１が取り付けられており、排水等を考慮して便所の床に傾斜が設けられている場合でも、それぞれのアジャスタ１１、１１によって部分的に高さ調整を行うことができるので、設置される便器用手摺１のがたつきをなくすことができる。
【００４９】
以上のように構成された便器用手摺１は、図１２に示すように、左右一対の肘掛け５１を跳ね上げ位置まで跳ね上げると、便器Ａの前方側が開放され、肘掛け５１が跳ね上げ位置に自動的にロックされると共に、跳ね上げた肘掛け５１からグリップ５２が略水平に張りだしているので、足腰の弱い高齢者等は、グリップ５２を掴んで自分の身体を支えながら、開放された便器Ａの前方側から便器Ａに着座することができる。従って、前方の車椅子から便器Ａへの乗り移りをスムーズに行うことができる。
【００５０】
また、足腰の弱い高齢者等が便器Ａに着座した後、跳ね上げた肘掛け５１のロックを解除して肘掛け位置まで回動させると、左右一対の肘掛け５１、５１が平面略ハの字状となるように、それぞれの肘掛け５１の前端部が便器Ａの前端側で、その幅方向に接近した状態で肘掛け位置に自動的にロックされるので、図１３に示すように、平面略ハの字状の一対の肘掛け５１、５１が便器Ａに着座した高齢者等の前側を囲うように位置することになる。従って、高齢者等は両肘を身体の前方に位置しているハの字状の肘掛け５１、５１に載せることで、前屈みの楽な姿勢で用便を行うことができる。
【００５１】
また、用便後に自分で尻を拭くことができない高齢者等であっても、両肘を身体の前方に位置しているハの字状の肘掛け５１、５１に載せて前屈みになることで、自分の尻を便器Ａの便座から楽に浮かせることができるので、介護者は高齢者等の尻を拭きやすくなり、介護者の負担を軽減させることができる。
【００５２】
以上のように、この便器用手摺１は、跳ね上げ可能な肘掛け５１を有する一対の手摺部材５０、５０を、肘掛け位置において、平面略ハの字状に配置することで、その手摺部材５０、５０を、足腰の弱い高齢者等が便器Ａに着座する際に支えとして使用するだけでなく、便器Ａに着座した高齢者等に楽な姿勢で用便させるためにも使用することができるので、足腰の弱い高齢者等が便器Ａに着座する際の支えとして使用する手摺部材と、便器Ａに着座した高齢者等に楽な姿勢で用便させるために使用する手摺部材とをそれぞれ設ける必要がなく、全体構成がシンプルでコンパクトになると共に、使い勝手も良い。
【００５３】
なお、上述した実施形態では、平面略ハの字状の肘掛け５１は、前後方向の位置が固定されているが、これに限定されるものではなく、例えば、固定支持脚４１に可動支持脚４２を差し込んでスライドさせることで伸縮させる固定部材４０のように、起立部材２０の張出部２３を伸縮可能にすることで、肘掛け５１を前方側に突出可能な構成とし、その突出範囲内の任意の位置で肘掛け５１を固定することができるようにしておくと、用便者の体型に応じて、肘掛け５１の位置を便器Ａの前後方向に調整することができるので、用便者は楽な用便姿勢で用便を行うことができる。また、肘掛け５１の基端部の最大突出位置は、便器Ａの前端から前方側に１０ｃｍ程度の位置に設定しておくことが望ましい。
【００５４】
また、肘掛けを若干前方側に位置させることによって、ハの字状の肘掛けに手をついて前屈みの状態で立ち上がることができるので、力が入りやすく、肘掛けが後方にある場合に比べて楽に立ち上がることができる。特に、肘掛け５１の下面から下方側に突出するグリップ５２を有する、上述した実施形態のような跳ね上げタイプの手摺部材５０の場合、肘掛け５１を若干前方側にスライドさせることによって、手摺部材５０を跳ね上げた状態でグリップ５２も前方側に位置することになるので、グリップ５２を握って楽に立ち上がることもできる。
【００５５】
また、上述した実施形態では、肘掛け５１の下面から下方側に突出するように、金属製のフレームにグリップ５２を連設しているが、これに限定されるものではなく、肘掛け５１の外側部から外側に突出するように、肘掛け５１の側面にグリップを連設してもよい。また、グリップ５２を省略することも可能であり、その場合は、跳ね上げた肘掛け５１の先端部や被支持部材５３を掴んで身体を支えながら便器Ａに着座すればよい。
【００５６】
また、上述した便器用手摺１は、便器の外側に平行に肘掛けが配設されている一般的な便器用手摺とは異なり、高齢者等が便器Ａに着座した状態では、高齢者等の上半身の両外側に肘掛けが存在していないので、上半身を自力で保持することに不安がある高齢者等が使用する場合は、例えば、図１４に示すように、起立部材２０を構成している金属製の角パイプからなる上部支柱２２の上端部に装着されているキャップＣを取り外して、その開放された上端開口部に、便器Ａに着座した高齢者等の上半身を両側部から後部に渡って取り囲むガイド部材Ｇを必要に応じて装着するようにしてもよい。
【００５７】
前記ガイド部材Ｇは、左右の上部支柱２２、２２の上端部にそれぞれ挿入される金属製の角パイプからなる左右一対の装着部Ｇ１，Ｇ１と、この装着部Ｇ１，Ｇ１の後面から後方に向かって斜め上方に立ち上がる金属製の角パイプからなる左右一対の側部ガイドＧ２、Ｇ２と、左右一対の側部ガイドＧ２、Ｇ２の後端部同士を連結する金属製の丸パイプからなる後部ガイドＧ３、Ｇ３とから構成されており、後部ガイドＧ３、Ｇ３は着脱自在に連結できるようになっている。
【００５８】
また、上記ガイド部材Ｇを起立部材２０における左右の上部支柱２２、２２に着脱自在に取り付けるのではなく、図１５に示す便器用手摺１Ａのように、用便者が把持可能なガードフレームＧＦを、起立部材２０の上部支柱２２に固定設置することも可能である。
【００５９】
このガードフレームＧＦは、同図に示すように、上部支柱２２の後面から後方側に伸び出し、Ｕターンして便器Ａに着座した用便者の腰部の高さ位置付近で前方側に伸び出すような形状を有しており、その先端部には握り部ｇｐが形成されている。
【００６０】
このようなガードフレームＧＦを起立部材２０の上部支柱２２に固定設置しておくことで、便器Ａに着座した状態で上半身を自力で保持することに不安がある用便者は、そのガードフレームＧＦによって身体を支えることができるので、安心して用便を行うことができると共に、便器Ａに着座する際や便器Ａに着座した状態から立ち上がる際に、そのガードフレームＧＦの握り部を掴んで支えとすることができるので、便器Ａへの着座動作や便器Ａからの立ち上がり動作を楽に行うことができる。
【００６１】
また、上述した便器用手摺１は、起立部材２０が、上部支柱２２の上端部から前方側に張り出す金属製の角パイプからなる張出部２３と、この張出部２３の前端部から立ち上がる金属製の角パイプからなる起立部２４とを備えており、起立部２４の上端部に手摺部材５０を回動可能に支持するための支持部材２５が固定されているが、これに限定されるものではなく、上部支柱２２の上端部に支持部材２５を固定するものであってもよい。
【００６２】
また、上述した実施形態では、肘掛け５１を所定の跳ね上げ位置まで跳ね上げたときに、肘掛け５１を自動的にロックするロック手段を採用しているが、これに限定されるものではなく、肘掛けを手動でロックするロック手段を採用することも可能である。具体的には、肘掛けを所定の跳ね上げ位置まで跳ね上げた状態で相互に一致するピン挿入孔を、起立部材の上端部に固定された支持部材及び肘掛けに固定された被支持部材にそれぞれ形成しておき、肘掛けを所定の跳ね上げ位置に跳ね上げた状態で、それらの一致したピン挿入孔にロックピン等を挿入することで、肘掛けを跳ね上げ状態にロックすること等が考えられる。
【００６３】
図１６〜図１９は、他の実施形態を示している。この便器用手摺２も、起立部材及び手摺部材以外の構成要素は、上述した便器用手摺１と同一であるため、同様の構成要素については、同一符号を付してその説明を省略し、異なる構成要素である起立部材２０Ａ及び手摺部材５０Ａについて詳細に説明する。
【００６４】
前記起立部材２０Ａは、同図に示すように、上端側が僅かに内側（便器Ａ側）に傾斜した状態でベース部材１０の後部側に固着された金属製の角パイプからなる下部支柱２１と、この下部支柱２１にその上端側から差し込まれて、下部支柱２１内を上下にスライドする金属製の角パイプからなる上部支柱２２とから構成されており、この上部支柱２２の上端部に手摺部材５０Ａを旋回可能に支持するための支持部材２７が固定されている。
【００６５】
前記支持部材２７は、図２０に示すように、上部支柱２２の上端部に固定された固定部２８と、この固定部２８に所定の角度範囲（７５度）で回転可能に支持された可動部２９とから構成されており、可動部２９は、回転ロック手段によって所定の回転位置にロックされるようになっている。
【００６６】
前記回転ロック手段は、図２１（ａ）〜（ｃ）に示すように、Ｔ字状のロックピンＰと、可動部２９に形成された、ロックピンＰを挿入するためのピン挿入穴２９ａと、固定部２８に形成された、固定部２８に対して可動部２９を所定角度（初期角度（０度）、中間回転角度（３７．５度）、最大回転角度（７５度））だけ回転させたときに可動部２９のピン挿入穴２９ａに一致する３個のピン挿入穴２８ａとから構成されており、ロックピンＰを可動部２９のピン挿入穴２９ａ及び固定部２８のいずれかのピン挿入穴２８ａの双方に挿入することで、固定部２８に対して可動部２９を初期角度、中間回転角度、最大回転角度のいずれかの角度にロックすることができるようになっている。
【００６７】
前記手摺部材５０Ａは、図１６〜図２０に示すように、金属製のフレームに樹脂製のカバーが装着された肘掛け５１と、この肘掛け５１のフレームに連結部材５６、５６を介して連結された可動部材５５と、この可動部材５５がスライド自在に挿入される、起立部材２０Ａを構成している支持部材２７の可動部２９に固定された金属製の角パイプからなるベース部材５７とを備えており、可動部材５５に連結された肘掛け５１は、ベース部材５７に沿って進退可能で、スライドロック手段によって所定位置にロックされるようになっている。前記ベース部材５７の上面には、前後方向に延びる長孔（図示せず）が形成されており、肘掛け５１のフレームの後方側と可動部材５５の中間部とを固定している連結部材５６が、長孔内を前後に移動するようになっている。これによって、ベース部材５７に対する可動部材５５の可動範囲が規制され、可動部材５５がベース部材５７から脱落しないようになっている。
【００６８】
前記手摺部材５０Ａは、起立部材２０Ａを構成している支持部材２７の固定部２８に対する可動部２９の回転角度が初期角度（０度）のときに、左右一対の肘掛け５１、５１の前端部が接近した平面略ハの字状となるように、支持部材２７の可動部２９にベース部材５７が固定されており（図１８参照）、左右一対の肘掛け５１、５１の前端部を便器Ａの幅方向の外側に回動させることによって、支持部材２７の可動部２９を最大回転角度（７５度）回転させると、図２２に示すように、左右一対の肘掛け５１、５１が便器Ａの幅方向の外側で平行になるように設定されている。
【００６９】
前記スライドロック手段は、図２０（ａ）、（ｂ）に示すように、各ベース部材５７の下面にそれぞれ形成されたスリット５７ａと、可動部材５５を前後にスライドさせたときにベース部材５７のスリット５７ａに一致する、可動部材５５の下面に等間隔で形成された３個のスリット５５ａと、ベース部材５７の外側面側に張り出すように、ベース部材５７及び前記支持部材２７の固定部２８に固着された取付部材６４の前面に回動可能に支持された、回動片６６の一端に９０度の角度をなすように操作片６７が連設された略Ｌ字形状のロック部材６５とから構成されており、ロック部材６５は、回動片６６の先端に、相互に一致したスリット５７ａ、５５ａに係合可能な係止爪６６ａが設けられている。
【００７０】
前記ロック部材６５は、回動片６６側の中間部に回動支点が設けられており、通常の状態では、操作片６７が連設された回動片６６の一端側が下方側に回動し、回動片６６の先端に設けられた係止爪６６ａがスリット５７ａ内に進入した状態に保持されるようになっている。
【００７１】
従って、可動部材５５をベース部材５７に沿って進退させることによって、可動部材５５のいずれかのスリット５５ａがベース部材５７のスリット５７ａに一致した時点で、スリット５７ａ内に進入している係止爪６６ａが可動部材５５のスリット５５ａにも進入し、可動部材５５に取り付けられた肘掛け５１がその位置にロックされるようになっており、このスライドロック手段は、図１８、図２３、図２４に示すように、可動部材５５の３個のスリット５５ａにそれぞれ対応する「前進位置」、「中間位置」または「後退位置」で肘掛け５１をロックすることができる。
【００７２】
このようにして、肘掛け５１が「前進位置」、「中間位置」または「後退位置」にロックされた状態で、図２０（ｂ）に示すように、操作片６７をベース部材５７側に回動させると、係止爪６６ａのスリット５７ａへの係合が解除されるので、肘掛け５１をベース部材５７に沿って進退させることができる。
【００７３】
前記手摺部材５０Ａは、起立部材２０Ａを構成している支持部材２７の固定部２８に対する可動部２９の回転角度が初期角度（０度）で、両肘掛け５１、５１が前進位置に位置しているときが肘掛け位置であり、肘掛け位置では、左右一対の肘掛け５１、５１が、平面略ハの字状となるように、それぞれの肘掛け５１の前端部が便器Ａの前端側で、その幅方向に接近した状態となっている。
【００７４】
以上のように構成された便器用手摺２は、左右一対の肘掛け５１、５１が平面略ハの字状の肘掛け位置から、スライドロック手段による左右一対の肘掛け５１のロックを解除してそれぞれの肘掛け５１を後退位置まで後退させると、図２４に示すように、便器Ａの前方側が開放されると共に、その後退位置で肘掛け５１が自動的にロックされるので、足腰の弱い高齢者等は、肘掛け５１を掴んで自分の身体を支えながら、開放された便器Ａの前方側から便器Ａに着座することができる。従って、前方の車椅子から便器Ａへの乗り移りをスムーズに行うことができる。
【００７５】
また、ハの字位置に保持された左右一対の肘掛け５１を後退位置までスライドさせても、便器Ａの前方側に十分な通路が確保できない場合は、可動部２９を中間回転角度（３７．５度）にロックすることで、図２５に示すように、左右一対の手摺部材５０をハの字位置と平行位置の中間位置に保持することによって、便器Ａの前方側の通路を拡大することができる。なお、図２５では、左右一対の肘掛け５１、５１を前進位置にロックした状態を実線で、後退位置にロックした状態を二点鎖線で示している。
【００７６】
また、足腰の弱い高齢者等が便器Ａに着座した後、後退させた肘掛け５１を、そのロックを解除して肘掛け位置まで前進させると、左右一対の肘掛け５１、５１が肘掛け位置に自動的にロックされ、平面略ハの字状の一対の肘掛け５１、５１が便器Ａに着座した高齢者等の前側を囲うように位置することになるので、高齢者等は両肘を身体の前方に位置しているハの字状の肘掛け５１、５１に載せることで、前屈みの楽な姿勢で用便を行うことができる。また、用便後に自分で尻を拭くことができない高齢者等であっても、両肘を身体の前方に位置しているハの字状の肘掛け５１、５１に載せて前屈みになることで、自分の尻を便器Ａの便座から楽に浮かせることができるので、介護者は高齢者等の尻を拭きやすくなり、介護者の負担を軽減させることができる。
【００７７】
以上のように、この便器用手摺２は、肘掛け位置から、その長手方向に沿って後方側にスライド可能な肘掛け５１を有する一対の手摺部材５０Ａ、５０Ａを、肘掛け位置において、平面略ハの字状に配置することで、その手摺部材５０Ａ、５０Ａを、足腰の弱い高齢者等が便器Ａに着座する際に支えとして使用するだけでなく、便器Ａに着座した高齢者等に楽な姿勢で用便させるためにも使用することができるので、足腰の弱い高齢者等が便器Ａに着座する際の支えとして使用する手摺部材と、便器Ａに着座した高齢者等に楽な姿勢で用便させるために使用する手摺部材とをそれぞれ設ける必要がなく、全体構成がシンプルでコンパクトになると共に、使い勝手も良い。
【００７８】
また、この便器用手摺２は、前屈みの姿勢で用便する必要のない高齢者等が使用する場合は、平面略ハの字状の一対の肘掛け５１、５１を、平行になるまで旋回させた状態でロックしておくことによって、一般的な便器用手摺としても使用することができるので、汎用性が高い。
【００７９】
なお、この便器用手摺２では、左右一対の肘掛け５１、５１を旋回可能及び長手方向に沿って後方側にスライド可能な構成を採用しているが、これに限定されるものではなく、例えば、左右一対の肘掛け５１、５１を旋回させる構成を採用せずに、上述した初期角度（０度）の位置に固定するようにしてもよい。
【００８０】
また、この便器用手摺２では、左右一対の肘掛け５１、５１を、肘掛け位置から後退位置まで後退させることによって、便器Ａの前方側を開放するようにしているが、これに限定されるものではなく、例えば、平面略ハの字状の一対の肘掛け５１、５１を旋回させることによって、便器Ａの前方側を開放するようにしてもよく、その場合は、必ずしも、左右一対の肘掛け５１、５１を、その長手方向に沿って後方側にスライド可能な構成を採用する必要はない。
【００８１】
また、この便器用手摺２では、ロック部材６５の係止爪６６ａが、可動部材５５のスリット５５ａ及びベース部材５７のスリット５７ａの双方に進入することによって可動部材５５を所定位置にロックするロック手段を採用しているが、これに限定されるものではなく、少なくとも、前進位置及び後退位置に保持することができる種々のロック手段を採用することができる。
【００８２】
また、この便器用手摺２のように、左右一対の肘掛け５１、５１を旋回させるタイプの手摺部材５０Ａについても、肘掛け５１を前方側に突出可能な構成とし、その突出範囲内の任意の位置で手摺部材５０Ａを固定することができるようにしておくと、用便者の体型に応じて、肘掛け５１の位置を便器Ａの前後方向に調整することができると共に、ハの字状の肘掛け５１に手をついて前屈みの状態で立ち上がることができるので、力が入りやすく、肘掛けが後方にある場合に比べて楽に立ち上がることができ、さらに、図１５に示すようなガードフレームＧＦを、起立部材２０Ａの上部支柱２２に固定設置しておくと、便器Ａに着座した状態で上半身を自力で保持することに不安がある用便者は、そのガードフレームＧＦによって身体を支えることができるので、安心して用便を行うことができると共に、便器Ａに着座する際や便器Ａに着座した状態から立ち上がる際に、そのガードフレームＧＦの握り部を掴んで支えとすることができるので、便器Ａへの着座動作や便器Ａからの立ち上がり動作を楽に行うことができる。
【産業上の利用可能性】
【００８３】
本発明は既設の洋風便器用の手摺として利用することができる。
【符号の説明】
【００８４】
１、１Ａ、２  便器用手摺
１０  ベース部材
１１  アジャスタ
２０、２０Ａ  起立部材
２０ａ  ノブボルト
２１  下部支柱
２１ａ  ボルト挿通孔
２２  上部支柱
２３  張出部
２４  起立部
２５  支持部材
２６  案内孔
２６ａ  回動用孔部
２６ｂ  係止用孔部
２７  支持部材
２８  固定部
２８ａ  ピン挿入穴
２９  可動部
２９ａ  ピン挿入穴
３０  連結部材
３１  直線部
３２  屈曲部
３３  可動アーム
３４  ノブボルト
３５  押圧部材
４０  固定部材
４１  固定支持脚
４１ａ  長孔
４２  可動支持脚
４２ａ  ねじ
４３  固定アーム
４３ａ  長孔
４４  可動アーム
４４ａ  ノブボルト
４５  押圧部
４６  アジャスタ
４６ａ  全ネジボルト
４６ｂ  回転操作部
４７  自在アタッチメント
５０、５０Ａ  手摺部材
５１  肘掛け
５２  グリップ
５３  被支持部材
５４  長孔
５５  可動部材
５５ａ  スリット
５６  連結部材
５７  ベース部材
５７ａ  スリット
６１  係止軸
６２  操作部材
６３  掛止片
６４  取付部材
６５  ロック部材
６６  回動片
６６ａ  係止爪
６７  操作片
Ａ  便器
Ｃ  キャップ
Ｇ  ガイド部材
Ｇ１  装着部
Ｇ２  側部ガイド
Ｇ３  後部ガイド
ＧＦ  ガイドフレーム
ｇｐ  握り部
ａ  床固定部
ｂ  上部外表面
Ｐ  ロックピン
【図１】
2017042503.tif 000003
【図２】
2017042503.tif 000004
【図３】
2017042503.tif 000005
【図４】
2017042503.tif 000006
【図５】
2017042503.tif 000007
【図６】
2017042503.tif 000008
【図７】
2017042503.tif 000009
【図８】
2017042503.tif 000010
【図９】
2017042503.tif 000011
【図１０】
2017042503.tif 000012
【図１１】
2017042503.tif 000013
【図１２】
2017042503.tif 000014
【図１３】
2017042503.tif 000015
【図１４】
2017042503.tif 000016
【図１５】
2017042503.tif 000017
【図１６】
2017042503.tif 000018
【図１７】
2017042503.tif 000019
【図１８】
2017042503.tif 000020
【図１９】
2017042503.tif 000021
【図２０】
2017042503.tif 000022
【図２１】
2017042503.tif 000023
【図２２】
2017042503.tif 000024
【図２３】
2017042503.tif 000025
【図２４】
2017042503.tif 000026
【図２５】
2017042503.tif 000027
【図２６】
2017042503.tif 000028